(57)【特許請求の範囲】
【請求項１】
建物の壁面に配設された配線器具の前面に取付けられて負荷をＯＮ・ＯＦＦするとともに、該配線器具の用途を表示するようにしたスイッチハンドルであって、
本体裏面には、一対の係止突条が設けられると共に、該係止突条の間に位置して表示窓が形成され、該係止突条の間に帯状部材が摺動可能に弾性挟持され、該帯状部材は、本体の裏側に収まる大きさであって、且つ、その長手方向には複数のネームが配列表示され、
該帯状部材をその長手方向に摺動させることで任意の一のネームを選択して前記表示窓に臨ませて前記配線器具の用途を特定して表示した状態で前記配線器具の前面に取付けされることを特徴とする用途表示部を備えたスイッチハンドル。
【請求項２】
建物の壁面に配設された配線器具の前面に取付けられて負荷をＯＮ・ＯＦＦするとともに、該配線器具の用途を表示するようにしたスイッチハンドルであって、
本体に表示窓が形成されると共に、該表示窓の裏側には、該本体裏面との間にシート部材を摺動可能に保持する係止片が設けられ、該シート部材は該本体の裏側に収まり、且つ、その長手方向に複数のネームが配列表示され、該シート部材を摺動させて任意の一のネームを選択して前記表示窓に臨ませることで前記配線器具の用途を特定して表示した状態で前記配線器具の前面に取付けされることを特徴とする用途表示部を備えたスイッチハンドル。
【発明の詳細な説明】
【０００１】
【技術分野】
本発明は、建物の壁等に配設された配線器具の前面に取付けられて負荷をＯＮ・ＯＦＦするとともに、「洗面」、「換気扇」等の用途表示を行なう用途表示部を備えたスイッチハンドルに関するものである。
【０００２】
【背景技術】
従来、この種の用途表示部を備えたスイッチハンドルとして、図１０に示したものがある。図において、建物の壁穴等に取付枠５３を介して配設された配線器具５２の前面には、負荷をＯＮ・ＯＦＦするスイッチハンドル５１が取付けられている。配線器具５２へのスイッチハンドル５１の取付けは、配線器具５２の前面からスイッチハンドル５１を押込むことによって行なうことができ、図１に示すスイッチハンドル１の裏面に設けられた左右一対の係止片４の係止爪５が配線器具の前面の発光部５２ａの左右に設けられた一対の係止部５２ｂに弾性的に係止される。
【０００３】
一方、スイッチハンドル５１の前面側には、「洗面」、「換気扇」等の用途表示を行なう印刷紙等からなるネームカード５４が収納される収納凹部５１ａと、その前面側において合成樹脂板等からなるネームカバー５５を収納する収納凹部５１ｂと、前記配線器具５２の発光部５２ａからの発光を室内側に通すための透光窓６とが形成されている。この配線器具５２の発光部５２ａとスイッチハンドル５１の透光窓６とは負荷のＯＮ・ＯＦＦ表示を行なうパイロットスイッチ、ほたるスイッチを構成するものである。
【０００４】
スイッチハンドル５１への用途表示部の形成は、収納凹部５１ａにネームカード５４を収納し、その前面からネームカバー５５を押込んでその側面に設けられた複数個の小突起５５ａを収納凹部５１ｂの周縁に弾性係止させて取付けることによって完了する。
【０００５】
このようにして形成された用途表示部では、ネームカード５４の文字をネームカード５５の透明窓５５ｂを介して室内側から確認することができる。なお、ネームカード５５を取外して用途表示の文字を変更したい場合には、収納凹部５１ｂに切欠形成されたレバー５１ｃを裏面側から押圧してネームカバー５５を取外し、ネームカード５４を交換する。
【０００６】
【発明が解決しようとする課題】
しかし、従来の用途表示部を備えたスイッチハンドルは、ネームカード５４を組付けるには、スイッチハンドル５１の裏面からレバー５１ｃを押圧して一旦ネームカバー５５を取外した後、ネームカード５４を収納し、その前面にネームカバー５５を取付けなければならず、非常に組付作業の手間がかかった。また、最初の組付時だけでなく、用途表示を変更したい場合も同様に手間を要した。更に、用途表示ごとに複数種類のネームカード５４を用意しなければならず、管理が面倒であった。
【０００７】
そこで、本発明は、面倒な組付作業を要することなく、簡単に用途表示及び表示変更を行なうことができ、また、複数種類のネームカードを用意する必要のない用途表示部を備えたスイッチハンドルの提供を課題とするものである。
【０００８】
【課題を解決するための手段】
請求項１に記載の発明は、建物の壁面に配設された配線器具の前面に取付けられて負荷をＯＮ・ＯＦＦするとともに、該配線器具の用途を表示するようにしたスイッチハンドルであって、本体裏面には、一対の係止突条が設けられると共に、該係止突条の間に位置して表示窓が形成され、該係止突条の間に帯状部材が摺動可能に弾性挟持され、該帯状部材は、本体の裏側に収まる大きさであって、且つ、その長手方向には複数のネームが配列表示され、該帯状部材をその長手方向に摺動させることで任意の一のネームを選択して前記表示窓に臨ませて前記配線器具の用途を特定して表示した状態で前記配線器具の前面に取付けされることを特徴とするものである。
【０００９】
請求項２に記載の発明は、建物の壁面に配設された配線器具の前面に取付けられて負荷をＯＮ・ＯＦＦするとともに、該配線器具の用途を表示するようにしたスイッチハンドルであって、本体に表示窓が形成されると共に、該表示窓の裏側には、該本体裏面との間にシート部材を摺動可能に保持する係止片が設けられ、該シート部材は該本体の裏側に収まり、且つ、その長手方向に複数のネームが配列表示され、該シート部材を摺動させて任意の一のネームを選択して前記表示窓に臨ませることで前記配線器具の用途を特定して表示した状態で前記配線器具の前面に取付けされることを特徴とするものである。
【発明を実施するための最良の形態】
【００１０】
〈第一実施例〉
以下、本発明の第一実施例を図１及び図２に基づいて説明する。 図において、合成樹脂材等からなるスイッチハンドル１は適宜位置に透明板が本体２と一体にまたは別体として設けられて表示窓３が形成されている。なお、前記表示窓３は透明板を設けず、単に貫通されたものであってもよい。本体２の裏面中央部には側面に図１０に示す配線器具５２の係止部５２ｂと係止する係止爪５を有する左右一対の係止片４が一体に設けられ、また、その間に配線器具５２の発光を通す透光窓６が形成されている。更に、本体２の裏面の中央上部には取付軸１１が設けられ、上部フランジの中央には突部１２が形成されている。
【００１１】
そして、前記取付軸１１には回転円盤からなるネーム板１３が回動自在に取付けられ、前記ネーム板１３の周縁には適宜間隔で係合凹部１４が形成されている。このネーム板１３は請求項のネーム体に相当するものである。前記係合凹部１４は前記本体２の突部１２と弾性的に係合し、係合状態では回動を阻止され、一定角度に安定して保持されるようになっている。更に、前記ネーム板１３の壁表側の面には所定間隔で「洗面」、「換気扇」等の用途のネーム１５が表示されており、各ネーム１５は本体２の表示窓３から前面側に臨むようになっている。
【００１２】
なお、係止片４、係止爪５及び透光窓６は従来例と同様のものであり、図１０に示す配線器具５２へのスイッチハンドル１の取付けは、配線器具５２の前面からスイッチハンドル１を押込んで係止片４の係止爪５を配線器具５２の一対の係止部５２ｂに弾性的に係止することによって取付けるようになっている。また、透光窓６は配線器具５２の発光部５２ａからの発光を前面側に通し、負荷のＯＮ・ＯＦＦ表示を行なうものである。
【００１３】
次に、このように構成された第一実施例のスイッチハンドルの用途表示部の組付けについて説明する。
用途表示部を形成するには、ネーム板１３を本体２の裏面の取付軸１１に取付け、複数種類の用途から特定のネーム１５を選択してネーム板１３の係合凹部１４を本体２の突部１２に係合させる。それによって、選択された特定のネーム１５は本体２の表示窓３を通してスイッチハンドル１の前面に表出される。
【００１４】
用途表示部はこのようにして組付けられるから、その形成を簡単に行なうことができ、また、別途個々のネームカードを用意する必要がなく、管理が楽である。また、表示を変更したい場合には、ネーム板１５を取付軸１１を軸に回動するだけでよいから、その作業も簡単かつ短時間で行なうことができる。
【００１５】
〈第二実施例〉
次に、本発明の第二実施例を図３及び図４に基づいて説明する。図において、スイッチハンドル１は表示窓３の左右両側に、対向面が逆テーパに形成された一対の係止突条２１が本体２と一体に設けられている。そして、前記係止突条２１には上方または下方から上下端にフランジ２３を有する帯板部材２２が挿入され、係止突条２１間に保持されている。前記係止突条２１の間隔は帯板部材２２の巾よりも僅かに小さく形成されているので、前記帯板部材２２は前記係止突条２１に弾性挟持され、任意の高さに保持されるようになっている。なお、前記フランジ２３はこれを把持して帯板部材２２を係止突条２１間に挿入する操作つまみとなるものである。
【００１６】
一方、前記帯板部材２２には、表示窓３と対向する面に上下方向に所定間隔でネーム２４が表示されており、個々のネーム２４は表示窓３を通して前面に表出されるようになっている。なお、その他の構成は第一実施例と同様であるからその説明を省略する。
【００１７】
この第二実施例においては、帯板部材２２を係止突条２１間で上下方向に摺動させて任意の高さに保持できるから、第一実施例と同様に、用途表示部を簡単に形成でき、また、別途個々のネームカードを用意する必要がなく、管理が楽であるとともに、表示の変更作業も簡単かつ短時間で行なうことができる。
【００１８】
〈第三実施例〉
次に、本発明の第三実施例を図５及び図６に基づいて説明する。図において、スイッチハンドル１は表示窓３の上部及び下部に一対の軸受３１が並設されている。そして、その軸受３１には無端のベルト部材３２が上下一対の軸３３を介して取付けられており、前記ベルト部材３２は上下に回動できるようになっている。更に、前記ベルト部材３２は外面側において上下方向に所定間隔でネーム３４が表示されている。
【００１９】
したがって、この第三実施例においては、ベルト部材３２を上下方向に回動させて任意の高さに保持することにより、前記各実施例と同様に、用途表示部を簡単に形成、変更できるとともに、別途個々のネームカードを用意する必要がない。なお、前記ベルト部材３２は無端としているが、有端のベルト部材であってもよい。
【００２０】
〈第四実施例〉
次に、本発明の第四実施例を図７乃至図９に基づいて説明する。 図において、スイッチハンドル１は表示窓３の裏面側に係止片４１が本体２と一体に形成されており、一方、表示窓３側の面に複数種類のネームが表示された一定巾の紙等からなるシート部材４２が前記表示窓３を形成する透明な表示板４３と前記係止片４１との間で弾性的に或いは非弾性的に保持されている。
【００２１】
このように構成された第四実施例のスイッチハンドル１は、シート部材４２が係止片４１と表示板４３とで保持されたものであるから、上下方向に摺動可能で、かつ、所定高さに保持できるから、前記各実施例と同様の作用と効果を期待できる。なお、ネーム設定後、本体２の外部へのシート部材４２のはみ出し部分は簡単に破り取ることができるので、表示設定後の見栄えが損なわれることはない。
【００２２】
ところで、本発明を実施する場合には、上記各実施例に限られるものではなく、本体の裏面において表示窓と対応して、ネームの表示部を移動可能にネーム体を保持できれば他のいかなる手段を用いてもよい。
【００２３】
【発明の効果】
以上のように、本発明の用途表示部を備えたスイッチハンドルは、複数種類のネームが表示されたネーム体が本体の裏面に移動可能に保持されるとともに、本体の所定位置に前記ネーム体に表示された特定のネームを表出する表示窓を形成したものである。したがって、用途表示部を簡単に形成でき、また、別途個々のネームカードを用意する必要がなく、管理が楽である。また、表示を変更したい場合も、その作業を簡単かつ短時間で行なうことができる。
【００２４】
【図面の簡単な説明】
【図１】  本発明の第一実施例の用途表示部を備えたスイッチハンドルを裏面側から見た分解斜視図である。
【図２】   図１のスイッチハンドルを前面側から見た要部断面図である。
【図３】  本発明の第二実施例の用途表示部を備えたスイッチハンドルを裏面側から見た分解斜視図である。
【図４】  図３のＡ−Ａ切断線による断面図である。
【図５】  本発明の第三実施例の用途表示部を備えたスイッチハンドルを裏面側から見た斜視図である。
【図６】   図５のスイッチハンドルの要部縦断面図である。
【図７】  本発明の第四実施例の用途表示部を備えたスイッチハンドルを裏面側かに見た斜視図である。
【図８】   図７のＢ−Ｂ切断線による断面図である。
【図９】   図７のＣ−Ｃ切断線による断面図である。
【図１０】  従来の用途表示部を備えたスイッチハンドルを示す分解斜視図である。
【００２７】
【符号の説明】
１      スイッチハンドル
２      本体
３      表示窓
１３      ネーム板
１５、２４、３４      ネーム
２１      係止突条
２２      帯板部材
３１      軸受
３２      ベルト部材
３３      軸
４１      係止片
４２      シート部材
【図１】
0003947983.tif 000002
【図２】
0003947983.tif 000003
【図３】
0003947983.tif 000004
【図４】
0003947983.tif 000005
【図５】
0003947983.tif 000006
【図６】
0003947983.tif 000007
【図７】
0003947983.tif 000008
【図８】
0003947983.tif 000009
【図９】
0003947983.tif 000010
【図１０】
0003947983.tif 000011